(57)【要約】【課題】  地震後により破壊されたドアに応急措置を施して、仮施錠することにより、そのような盗難を防止する方法及び装置を提供する。【解決手段】  地震後の盗難防止方法であって、既存のドアガード（２）又はドアチェーンの固定板（２１）を取り外す工程と、前記固定板（２１）を取り外した位置に、基板（３）とこの基板（３）の上に位置するチェーン固定具（４）を有する装置を取り付ける工程と、前記チェーン固定具（４）とドアの取っ手の間をチェーン（６）で連結する工程と、前記チェーン（６）に施錠する工程を有する。【選択図】図４
2018165428.tif 000002
【特許請求の範囲】
【請求項１】
地震後の盗難防止装置であって、
既存のドアガード（２）又はドアチェーンの固定板の位置に取り付けられる基板（３）と、
前記基板（３）の上に位置するチェーン固定具（４）と、
チェーン（６）からなり、
前記チェーン固定具（４）は、前記チェーン（６）を通過させるチェーン通過部（４１）を有する
ことを特徴とする地震後の盗難防止装置。
【請求項２】
前記基板（３）は本体（３１）の両端部が折り曲げられているものである請求項１記載の装置。
【請求項３】
前記基板（３Ａ）は本体（３１）の片側端部のみが折り曲げられているものである請求項１記載の装置。
【請求項４】
地震後の盗難防止方法であって、
既存のドアガード（２）又はドアチェーンの固定板（２１）を取り外す工程と、
前記固定板（２１）を取り外した位置に、基板（３）とこの基板（３）の上に位置するチェーン固定具（４）を有する装置を取り付ける工程と、
前記チェーン固定具（４）とドアの取っ手の間をチェーン（６）で連結する工程と、
前記チェーン（６）に施錠する工程
を有することを特徴とする方法。
【請求項５】
前記固定板（２１）を取り外した位置にある元のネジ穴（２５）を使用することにより、追加の穴加工工事を不要とした請求項４記載の方法。
【発明の詳細な説明】
【技術分野】
【０００１】
本発明は、地震後の盗難防止方法及び装置に関する。
【背景技術】
【０００２】
大地震のために家屋が損壊したとき、ドア枠が変形して、ドアの開閉ができなくなることがある。ドアが開かないために外に出られずに救助が遅れたり、最悪のケースでは、発生した火災にのみ込まれて焼死したり、余震による建物の倒壊によって圧死したりするということもある。このような事態を防ぐために、下記特許文献等に記載されたような発明・考案が提案されている。本出願人も現在未公開の出願においてドア枠変形に対応可能なドアを提案している。それらの結果、現在では大地震があっても、安全にドアを開けて外に脱出することができるようになりつつある。
【先行技術文献】
【特許文献】
【０００３】
【特許文献１】実開昭６１-０６５１９０号公報
【特許文献２】特開平０９-１８９１７４号公報
【特許文献３】特開平１０-１８４２１８号公報
【特許文献４】特開平１０-２８０８２１号公報
【特許文献５】特開２００５−１６３４６６号公報
【発明の概要】
【発明が解決しようとする課題】
【０００４】
ところが、いったん脱出に成功しても今度はドアを閉めて施錠することができないという新たな問題に直面することになる。外に脱出した人たちはとりあえず避難所や親戚・友人の家に向かうので、被災した家は施錠されていない空き家となる。テレビなどの報道によると、そうした空き家に空き巣が侵入して、残された金品を奪い取る窃盗事件が多発している。
【０００５】
それを防ぐためにドアにチェーンを巻きつけることも行われているようであるが、素人が急ごしらえで行っているので十分なものとは言い難いのが実情である。
【０００６】
本発明は、地震後により破壊されたドアに応急措置を施して、仮施錠することにより、そのような盗難を防止する方法及び装置を提供することを目的とする。
【課題を解決するための手段】
【０００７】
本発明に係る地震後の盗難防止装置は、既存のドアガード又はドアチェーンの固定板の位置に取り付けられる基板と、前記基板の上に位置するチェーン固定具と、チェーンを有し、前記チェーン固定具は、前記チェーンを通過させるチェーン通過部を有することを特徴とする（請求項１）。
【０００８】
通常タイプのドア枠に対しては、前記基板は本体の両端部が折り曲げられているものを使用する（請求項２）。しかし、網戸が取り付けられているタイプのドア枠に対しては、前記基板は本体の片側端部のみが折り曲げられているものを使用する（請求項３）。強度が弱くなるので好ましくはないが、両端部ともに折り曲げない態様も可能である。
【０００９】
本発明に係る地震後の盗難防止方法は、既存のドアガード又はドアチェーンの固定板を取り外す工程と、前記固定板を取り外した位置に、基板とこの基板の上に位置するチェーン固定具を有する装置を取り付ける工程と、前記チェーン固定具とドアの取っ手の間をチェーンで連結する工程と、前記チェーンに施錠する工程を有することを特徴とする（請求項４）。
【００１０】
好ましくは、前記固定板を取り外した位置にある元のネジ穴を使用することにより、追加の穴加工工事を不要とする（請求項５）。
【発明の効果】
【００１１】
本発明の装置及び方法によれば、既存のドアガード又はドアチェーンの固定板を取り外し、チェーン固定具を取り付け、チェーンをかけるだけの簡単な作業で、かなりしっかりした防犯対策となる。また、本装置の取り付けにあたっては、既存のドアガード又はドアチェーンの元のネジ穴が利用できるため、新しい穴加工などの追加工事を要しない。
【００１２】
請求項３の装置によれば、ドアの内側に開閉可能な網戸を設置している住宅に対しても適用可能となる。
【図面の簡単な説明】
【００１３】
【図１】本発明実施例１の盗難防止装置を取り付けている状態の斜視図である。
【図２】図１の盗難防止装置の分解斜視図である。
【図３】取り付け状態における図１の盗難防止装置の（ａ）平面図、（ｂ）左側面図、（ｃ）正面図、（ｄ）右側面図である。
【図４】チェーンをかけ、仮施錠が完成した状態の図１の盗難防止装置であり、（ａ）（ｂ）はサイズの異なる枠に取り付けた状態を示している。
【図５】本発明実施例２の盗難防止装置の分解斜視図である。
【図６】取り付け状態における図５の盗難防止装置の（ａ）平面図、（ｂ）左側面図、（ｃ）正面図、（ｄ）右側面図である。
【図７】チェーンをかけ、仮施錠が完成した状態の図５の盗難防止装置であり、（ａ）（ｂ）はサイズの異なる枠に取り付けた状態を示している。
【発明を実施するための形態】
【００１４】
以下、添付の図面に基づき、本発明の実施例を説明する。
【実施例１】
【００１５】
図１〜図４は本発明実施例１の盗難防止装置１を示している。この装置１は、地震が発生した後に取り付けるものであるので、各戸では保管や取り付けが困難な場合もあるであろう。したがって、例えばマンションの管理組合などで一括保管し、地震が発生した後に必要があれば、管理人の指導の下で一斉に取り付けることが望ましい。
【００１６】
取り付ける場所は、図１に一点鎖線で示したドアガード２の、係止用突起２２を有する固定板２１のところである。ドアガード２は、この突起２２に対して長穴２３を有するアーム２４を脱着させることで、両者を一時固定したり、開放したりすることができる器具である。固定板２１は上下２個所がネジで固定されているだけであるから、これをドライバー（図示せず）で外して、元のネジ穴２５を利用して盗難防止装置１を取り付ける。
【００１７】
なお、ドアガード２ではなく、ドアチェーン（図示せず）を用いている住宅もあるが、その場合も同様に固定板を外して、元のネジ穴を利用して盗難防止装置を取り付ける。
【００１８】
盗難防止装置１は図１〜３に示すように、基板３と、その上に取り付けられるチェーン固定具４からなる。
【００１９】
図２に示すように、基板３は、本体３１と、直角に折り曲げられた両端部３２を有し、断面が「コ」の字型となった金属板である。ドア枠５に固定するためのネジ穴３３、３４、３５及びチェーン固定具４と連結するためのネジ穴３４を有する。
【００２０】
チェーン固定具４は、チェーン通過部４１が「コ」の字型に盛り上がり、その左右に基底板４２を有する金属板である。チェーン通過部４１は、後記するように、チェーンを通過させる場所であるので、それに必要な高さ及び幅を有する。チェーン通過部４１の「コ」の字部分の上面及び２側面に貫通孔４３が設けられている。この貫通孔４３は南京錠などを取り付ける際に必要があれば利用することができる。基底板４２は、基板３の本体３１と連結するためのネジ穴４４及びさらにドア枠５と連結するためのネジ穴４５を有する。ネジ穴４５は既存のネジ孔２５（図１）の位置に合わせて微調整ができるように長穴となっている。
【００２１】
盗難防止装置１をドア枠５に取り付けた状態を図３に示す。基板３とチェーン固定具４はネジ穴３４、４４を使ってネジ４７により固定されている。ドア枠５と本体３１はネジ穴３３、３４、３５を使ってネジ３６、４６、４７により固定されている。
【００２２】
ドア枠５の幅はメーカーにより多少の変動があるが、図４（ａ）（ｂ）に示すように、ネジ３６の挿入量により、調節が可能である。
【００２３】
この盗難防止装置１を使用して施錠するには、図４に示すように、別に用意したチェーン６でドア７の外側取っ手７１（レバーハンドル又はドアノブ）と盗難防止装置１のチェーン固定具４の間を連結する。チェーン６はドア枠５とドア７の隙間を通過する。取っ手７１の位置（高さや寄り）やドアガード又はドアチェーンの位置（高さ）は、メーカーにより多少の変動はあり、地震後のドア枠の変形状況によっても変動するが、長めのチェーンを用意しておけば任意の位置で施錠が可能である。最後に、チェーン６の両端６１を南京錠６２などで施錠する。ドア７を開くときには逆の操作をする。
【００２４】
この盗難防止装置１を使用することにより、ドア７がドア枠５に対して確実に施錠される。万一、空き巣に入られた場合でも、不正開錠、破錠などの痕跡がチェーンに残るので、すぐに警察に通報するなどして初動捜査が容易となる。
【００２５】
なお、この盗難防止装置１は、チェーン６をチェーンカッターなどで切断するような空き巣に対しては有効な対応策とはならない。しかし、そのようなチェーンカッターを持ち歩くような不審者はだれの目にもつくので、そのような行為はおのずと抑制されると考えられる。また、本装置１は、長期間使用するものではなく、あくまで緊急事態用のものであるのであるので、ある程度の脆弱性は許容されると考えられる。
【実施例２】
【００２６】
図５〜図７は実施例２の盗難防止装置１Ａを示している。この盗難防止装置は、玄関のドアの内側に開閉式の網戸（図示せず）を設置している住宅向けのものである。網戸の枠８がドア枠５に固定されているので、この網戸枠８に邪魔されて、実施例１のときのように、ドア枠５をそのまま利用することができないのである。
【００２７】
網戸枠８に邪魔される理由は、ドア枠の１側面が網戸枠８によりふさがれてしまうためである（図６（ａ）及び（ｃ）参照）。そのため、実施例２では基板の片側３２Ａのみ直角に折り曲げられている。
【００２８】
網戸枠８Ａとドア枠５の間にはわずかな段差が発生することがあるので、それを補うために基板３Ａとチェーン固定板４Ａの間にスペーサ９が設けられている。スペーサ９は１枚の金属板であり、ネジ通過用にネジ孔９１、９２を有する。段差の程度によってはスペーサ９を２枚以上使用することもある。
【００２９】
それらの点を除けば実施例１と同様であるので、実施例１の符号の後に「Ａ」をつけて詳細な説明は省略する。
【符号の説明】
【００３０】
１，１Ａ      盗難防止装置
２     ドアガード
２１   固定板
２２   係止用突起
２２   突起
２３   長穴
２４   アーム
２５   ネジ孔
３，３Ａ      基板
３１   本体
３２   両端部
３３   ネジ穴
３４   ネジ穴
３６   ネジ
４，４Ａ      チェーン固定具
４１   チェーン通過部
４２   基底板
４３   貫通孔
４４   ネジ穴
４５   ネジ穴
４６   ネジ
４Ａ   チェーン固定板
５     ドア枠
６     チェーン
６１   両端
６２   南京錠
７     ドア
７１   取っ手
８     網戸枠
９     スペーサ
９１   ネジ孔
【図１】
2018165428.tif 000003
【図２】
2018165428.tif 000004
【図３】
2018165428.tif 000005
【図４】
2018165428.tif 000006
【図５】
2018165428.tif 000007
【図６】
2018165428.tif 000008
【図７】
2018165428.tif 000009